(57)【要約】【課題】  ロータで掻上げられた泥を稲藁，雑草等の上に確実に被せる。【解決手段】  多数本の棒材１１が軸方向に配設されて横長の円筒形に形成されたロータ１を備えている。ロータ１は、田面への接地抵抗で自転する非駆動式とされ両端面に回転可能に設けられた円板形の端板１２に棒材１１が支持されている。【選択図】        図１
2009011205.tif 000002
【特許請求の範囲】
【請求項１】
多数本の棒材が軸方向に配設されて横長の円筒形に形成されたロータを備えた代かき用ロータ装置において、ロータは田面への接地抵抗で自転する非駆動式とされ両端面に回転可能に設けられた円板形の端板に棒材が支持されていることを特徴とする代かき用ロータ装置。
【請求項２】
請求項１の代かき用ロータ装置において、ロータの前方側にロータの軸方向へ延びた長尺形のフロートが配置され  ロータとフロートとは連結角度の調整が可能であることを特徴とする代かき用ロータ装置。
【請求項３】
請求項２の代かき用ロータ装置において、走行機に連結される牽引バーを備え、フロートと牽引バーとは連結角度の調整が可能であることを特徴とする代かき用ロータ装置。
【発明の詳細な説明】
【技術分野】
【０００１】
本発明は、水田において田植に先行して田面を均平化し稲藁，雑草等を埋込む代かきに使用される代かき用ロータ装置に係る技術分野に属する。 
【背景技術】
【０００２】
最近、農薬類の使用制限等から代かきの重要性が再確認され、代かき専用の作業機が各種提供されてきている。特に、稲藁，雑草等の埋込みのためにはかご形のロータが有効とされ、かご形のロータを備えた代かき用ロータ装置が出現している。
【０００３】
従来、かご形のロータを備えた代かき用ロータ装置としては、例えば、以下に記載のものが知られている。 
【特許文献１】特開平６−６２６０１号公報   特許文献１には、多数本の棒材が軸方向に配設されて横長の円筒形に形成されたロータを備えた代かき用ロータ装置が記載されている。
【０００４】
特許文献１に係る代かき用ロータ装置は、回転するロータの棒材で泥を撹拌して田面を均平化しながら稲藁，雑草等を泥に押込むとともに、回転するロータの棒材で泥を掻上げて泥に押込まれた稲藁，雑草等の上にさらに泥を被せるものである。
【発明の開示】
【発明が解決しようとする課題】
【０００５】
特許文献１に係る代かき用ロータ装置では、ロータが棒材に加えてリム，スポークで円筒形に形成されてスポークに回転中心となる車輪軸が支持され大型化（円筒形の径が大きくなる）せざるを得ない複雑な構造になっているため、ロータで高く掻上げられた泥が周囲に飛散して稲藁，雑草等の上に確実に被せられないという問題点がある。
【０００６】
本発明は、このような問題点を考慮してなされたもので、ロータで掻上げられた泥を稲藁，雑草等の上に確実に被せることのできる代かき用ロータ装置を提供することを課題とする。
【課題を解決するための手段】
【０００７】
前述の課題を解決するため、本発明に係る代かき用ロータ装置は、特許請求の範囲の各請求項に記載の手段を採用する。 
【０００８】
即ち、請求項１では、多数本の棒材が軸方向に配設されて横長の円筒形に形成されたロータを備えた代かき用ロータ装置において、ロータは田面への接地抵抗で自転する非駆動式とされ両端面に回転可能に設けられた円板形の端板に棒材が支持されていることを特徴とする。
【０００９】
この手段では、ロータが棒材に加えて円板で円筒形に形成され円板が非駆動式で回転可能に設けられることで、小型化（円筒形の径が小さくなる）が可能な構造となる。
【００１０】
また、請求項２では、請求項１の代かき用ロータ装置において、ロータの前方側にロータの軸方向へ延びた長尺形のフロートが配置され設けられ  ロータとフロートとは連結角度の調整が可能であることを特徴とする。
【００１１】
この手段では、ロータにフロートを組合わせてロータとフロートとの連結角度の調整を可能にすることで、ロータの泥に対する撹拌深度を狭い範囲で調整することができる。
【００１２】
また、請求項３では、請求項２の代かき用ロータ装置において、走行機に連結される牽引バーを備え、フロートと牽引バーとは連結角度の調整が可能であることを特徴とする。
【００１３】
この手段では、フロートと走行機に連結される牽引バーとの連結角度の調整を可能にすることで、ロータの泥に対する撹拌深度を広い範囲で調整することができる。 
【発明の効果】
【００１４】
本発明に係る代かき用ロータ装置は、ロータが棒材に加えて円板で円筒形に形成され円板が非駆動式で回転可能に設けられることで、小型化（円筒形の径が小さくなる）が可能な構造となることから、ロータで泥が高く掻上げられることがなく、ロータで掻上げられた泥が飛散せずに直ちに泥に押込まれている稲藁，雑草等の上にさらに被せられるため、ロータで掻上げられた泥を稲藁，雑草等の上に確実に被せることができる効果がある。
【００１５】
また、請求項２として、ロータにフロートを組合わせてロータとフロートとの連結角度の調整を可能にすることで、ロータの泥に対する撹拌深度を調整することができるため、ロータで掻上げられた泥を稲藁，雑草等の上により確実に被せることができる効果がある。
【００１６】
また、請求項３として、フロートと走行機に連結される牽引バーとの連結角度の調整を可能にすることで、ロータの泥に対する撹拌深度を広い範囲で調整することができるため、ロータで掻上げられた泥を稲藁，雑草等の上により確実に被せることができる効果がある。
【発明を実施するための最良の形態】
【００１７】
以下、本発明に係る代かき用ロータ装置を実施するための最良の形態を図面に基づいて説明する。 
【００１８】
この形態は、図１に示すように、特許文献１と同様の横長の円筒形に形成されたロータ１に加えて２本のフロート２，３を備えている。 
【００１９】
ロータ１は、多数本の棒材１１が端板１２，中継板１３に支持されて軸方向に配設されることで横長の円筒形に形成されている。 
【００２０】
ロータ１の棒材１１は、円筒形の外周面を構成する断面が円形の金属材，合成樹脂材等の丸棒からなるもので、全本が同一径に統一されている。 
【００２１】
ロータ１の端板１２は、円筒形の両端面を構成する金属材，合成樹脂材等の円板からなるもので、中央部に軸孔１２ａが穿孔され、軸孔１２ａの周囲に円形の抜孔１２ｂが４個放射状に穿孔され、外周縁１２ｃに沿って棒材１１が挿通される棒材支持孔１２ｄが２０個放射状に穿孔されている。軸孔１２ａは、フロート２，３に連結される後述の連結バー４に取付けられた支軸５に回転可能に嵌合される。抜孔１２ｂは、ロータの１の面積の大部分を占めるように大きく穿孔されている。棒材支持孔１２ｄは、図２に示すように、外径である外周縁１２ｃから中心側に少しのクリアランスｃを介して配列されている。棒材支持孔１２ｄには、棒材１１の端部が挿通されて溶接，ボルト締等の適当な手段で固定される。
【００２２】
ロータ１の中継板１３は、円筒形の外周面の繋ぎの構造を２箇所で構成する金属材，合成樹脂材等のリング板からなるもので、棒材１１が挿通される棒材支持孔１３ａが外径である外周縁１３ｂと内径である内周縁１３ｃとの中間位置（端板１２と同様のクリアランスｃが確保されている）に４０個放射状に穿孔されている。棒材支持孔１３ａには、棒材１１の端部が挿通されて溶接，ボルト締等の適当な手段で固定される。ただし、固定される棒材支持孔１３ａについては、対面する端板１２側，中継板１３側とで２０個ずつ９度位相されて選択される。外周縁１３ｂは、端板１２の外周縁１２ｃの径と一致されている。内周縁１３ｃは、可能な限り大きく確保されている。
【００２３】
フロート２，３は、ロータ１の軸長とほぼ同じ長さの木材，合成樹脂材等の長尺板からなるもので、同一形状のものがロータ１の前方側の前後に２個配置されている。
【００２４】
ロータ１，フロート２，３は、２本の連結バー４によって連結されている。ロータ１は、前述のように、連結バー４に取付けられた支軸５に支持されている。フロート２，３は、第１のフロート取付部材６を介して連結バー４に支持されている。
【００２５】
第１のフロート取付部材６は、図５に示すように、Ｌ字形の取付ブラケット６１と、取付ブラケット６１を両フロート２，３にそれぞれ固定するビス６２，６３と、取付ブラケット６１を両フロート２，３に調整可能に固定するボルト６４，６５と、取付ブラケット６１に穿孔され後側のフロート２を固定するボルト６４が挿通される円形のボルト孔６６と、取付ブラケット６１に穿孔され前側のフロート３を固定するボルト６５が挿通される円弧長孔形のボルト孔６７とからなる。
【００２６】
ロータ１，フロート２，３とトラクタ，田植機等の走行機Ｔとは、図４に示すように、２本の牽引バー７によって連結される。フロート２，３は、第２のフロート取付部材８を介して牽引バー７に支持される。走行機Ｔは、油圧昇降機構等が牽引バー７に連結される。
【００２７】
第２のフロート取付部材８は、図６に示すように、Ｌ字形の取付ブラケット８１と、取付ブラケット８１を両フロート２，３にそれぞれ固定するビス８２，８３と、取付ブラケット８１を両フロート２，３に調整可能に固定するボルト８４，８５と、取付ブラケット８１に穿孔され後側のフロート２を固定するボルト８４が挿通される円形のボルト孔８６と、取付ブラケット８１に穿孔され前側のフロート３を固定するボルト８５が挿通される円弧長孔形のボルト孔８７とからなる。
【００２８】
この形態によると、水田で走行機Ｔが走行すると、牽引バー７に牽引されているロータ１が田面Ｅとの接地抵抗で自転することになる。そして、回転するロータ１は、棒材１１で泥を撹拌して田面Ｅを均平化しながら稲藁，雑草等を泥に押込むとともに、棒材１１で泥を掻上げて泥に押込まれた稲藁，雑草等の上にさらに泥を被せることになる。
【００２９】
この形態のロータ１は、回転可能に設けられた円板形の端板１２に棒材１１が支持されて、円筒形の端面に特許文献１に係る代かき用ロータ装置のロータのようなリム，スポーク，車輪軸の複雑な構造が構成されないため、小型化が可能である。従って、回転するロータ１で泥が高く掻上げられて周囲に飛散してしまうことがないため、ロータで掻上げられた泥を稲藁，雑草等の上に確実に被せることができる。
【００３０】
なお、回転するロータ１は、端板１２に抜孔１２ｂが穿孔されて軸方向に流動する泥を通過させることができるため、泥の抵抗で横振れすることがない。また、ロータ１の端板１２，中継板１３にクリアランスを確保して端板１２，中継板１３を泥に食込ませるようにしていることも、ロータ１の横振れの防止に役立っている。
【００３１】
また、ロータ１は、棒材１１が中継板１３で繋がれて円筒形に形成されているため、円筒形を確実に保形する充分な剛性が備えられている。従って、ロータ１による前述の泥の撹拌，掻上げが確実に行われる。なお、中継板１３の両側で棒材１１が位相して支持されていることも、剛性を高めるのに役立っている。
【００３２】
さらに、この形態では、フロート２，３を備えているため、ロータ１が必要以上に泥に埋没するようなことはない。ロータ１の泥に対する撹拌深度（侵入深度）については、第１のフロート取付部材６の前側のフロート３を固定するボルト６５を緩めて円弧長孔形のボルト孔６７に沿って移動させ、取付ブラケット６１（フロート２，３）と連結バー４（ロータ１）との角度を後側のフロート２を固定するボルト６４を支点として変化させることにより小さく調整が可能である。また、第２のフロート取付部材８の前側のフロート３を固定するボルト８５を緩めて円弧長孔形のボルト孔８７に沿って移動させ、取付ブラケット８１（フロート２，３）と牽引バー７（走行機Ｔ）との角度を後側のフロート２を固定するボルト８４を支点として変化させることにより大きく調整が可能である。
【００３３】
以上、図示した各例の外に、ロータ１の泥に対する撹拌深度の調整を前側のフロート３を支点としたり他の構造で実施するようにすることも可能である。 
【００３４】
さらに、フロート２，３を１本で構成することも可能である。 
【図面の簡単な説明】
【００３５】
【図１】本発明に係る代かき用ロータ装置を実施するための最良の形態の斜視図である。
【図２】図１の要部の端部の拡大断面図である。
【図３】図１の要部の中央部の拡大断面図である。
【図４】図１の走行機への牽引例の側面図である。
【図５】図１の一部の拡大図である。
【図６】図１の他の一部の拡大図である。
【符号の説明】
【００３６】
１            ロータ 
１１          棒材 
１２          端板 
１３          中継板 
２，３        フロート 
７            牽引バー 
Ｔ            走行機 
【図１】
2009011205.tif 000003
【図２】
2009011205.tif 000004
【図３】
2009011205.tif 000005
【図４】
2009011205.tif 000006
【図５】
2009011205.tif 000007
【図６】
2009011205.tif 000008